(57)【要約】【課題】離れた場所から簡単に操作できる切断処理装置を提供する。【解決手段】回転カッタを有する切断処理手段と、モータを有し前記回転カッタを回転駆動させる回転駆動手段と、前記回転駆動手段のモータに通電させることによって切断処理を行う切断処理装置において、前記通電手段による通電を制御する制御信号を送信する無線コントローラと、この無線コントローラからの制御信号によって前記回転駆動手段の通電状態を制御する通電制御手段とを備えることを特徴とする。【選択図】　　　　図１
2004057903.tif 000002
【特許請求の範囲】
【請求項１】
被処理物を切断処理する回転カッタを有する切断処理部と、前記回転カッタを回転駆動するモータとを備える切断処理装置において、前記モータの通電状態を制御するための制御信号を送信する無線コントローラと、この無線コントローラからの制御信号によって前記モータの通電状態を制御する通電制御手段とを備えることを特徴とする切断処理装置。
【請求項２】
前記制御信号の受信は、切断処理装置本体にて行われることを特徴とする請求項１記載の切断処理装置。
【請求項３】
前記無線コントローラからは前記回転カッタを停止させるための制御信号が送信されることを特徴とする請求項１または請求項２記載の切断処理装置。
【請求項４】
前記回転カッタは正逆に回転駆動可能に構成されるとともに、前記無線コントローラからは前記回転カッタを一時的に逆転させるための制御信号が送信されることを特徴とする請求項１〜３いずれか一項に記載の切断処理装置。
【請求項５】
前記回転カッタの回転異常を検出する異常検出手段と、前記異常検出手段によって前記回転カッタの回転異常が検出された際に報知する報知手段とを備えることを特徴とする請求項１〜４いずれか一項に記載の切断処理装置。
【発明の詳細な説明】
【０００１】
【発明の属する技術分野】
本発明は、切断処理装置に関するものである。
【０００２】
【従来の技術】
従来の切断処理装置として、回転カッタを持つ切断処理手段と、前記回転カッタを回転駆動する回転駆動手段と、前記切断処理手段および前記回転駆動手段を支持するフレーム部とを備える切断処理装置が知られている。このような切断処理装置は、タイヤ、剪定枝、金属屑または家庭用ゴミなど様々な切断処理に使用され、その使用場所は屋内、屋外を問わない。
【０００３】
ところで、従来の切断処理装置にあっては、操作盤はフレーム部に設けられることもあるし、本体（切断処理手段等が設けられているフレーム部）から離れた位置に前記回転駆動手段とケーブルで接続された状態で設けられることもある。その操作盤に設けられる操作子としては、回転カッタを始動、停止、逆転させたりするボタン等があげられる。
【０００４】
【発明が解決しようとする課題】
ところで、被処理物の中に回転カッタでは切断処理できない異物が混入していたりして回転カッタの回転が強制的に停止してしまう場合がある。また、被処理物が本来は切断処理できるものであっても、大量投入によって回転カッタに詰まってしまう場合がある。このような場合には、回転駆動手段に過負荷が作用することになるので、回転駆動手段の作動を停止させるか、あるいは回転カッタを逆転させる必要がある。
【０００５】
しかしながら、従来の切断処理装置の場合にあっては、配電盤の設置場所まで行って操作部を操作しなければならないため面倒であった。
【０００６】
本発明は、かかる点に鑑みなされたもので、離れた場所から簡単に操作できる切断処理装置を提供することを目的とする。
【０００７】
【課題を解決するための手段】
請求項１記載の切断処理装置は、被処理物を切断処理する回転カッタを有する切断処理部と、前記回転カッタを回転駆動するモータとを備える切断処理装置において、前記モータの通電状態を制御するための制御信号を送信する無線コントローラと、この無線コントローラからの制御信号によって前記モータの通電状態を制御する通電制御手段とを備えることを特徴とする。この場合、請求項２記載の切断処理装置のように、前記制御信号の受信は切断処理装置本体にて行われることが好ましい。
この切断処理装置によれば、切断処理装置の本体から離れた場所で無線コントローラを操作することによって回転駆動手段のモータの通電状態を制御できるので、切断処理の管理が容易となる。また、無線コントローラからの制御信号を切断処理装置本体にて受信させるようにすれば、無線コントローラからの制御信号を確実に受信でき、切断処理作業が円滑に行えることになる。
【０００８】
また、請求項３記載の切断処理装置のように、前記無線コントローラからは前記回転カッタを停止させるための制御信号が送信されるように構成することが好ましい。
【０００９】
請求項４記載の切断処理装置は、請求項１〜３いずれか一項に記載の切断処理装置において、前記回転カッタは正逆に回転駆動可能に構成されるとともに、前記無線コントローラからは前記回転カッタを正逆に回転させるための制御信号が送信されることを特徴とする。
この切断処理装置によれば、無線コントローラによって回転カッタを一時的に逆転できるので、回転カッタへの被切断物の詰まりを効果的に防止できる。
【００１０】
請求項５記載の切断処理装置は、請求項１〜４いずれか一項に記載の切断処理装置において、前記回転カッタの回転異常を検出する異常検出手段と、前記異常検出手段によって前記回転カッタの回転異常が検出された際に報知する報知手段とを備えることを特徴とする。この場合の「報知手段」としては音による報知、ランプによる報知、映像による報知、これらの組み合わせ等様々なものが考えられる。
この切断処理装置によれば、回転カッタの回転異常が報知されるので、管理者は状況に応じた適切な措置をとることができる。
【００１１】
【発明の実施の形態】
１．切断処理装置の全体構成
図１には実施形態の切断処理装置１００が示されている。
この切断処理装置１００は、回転カッタ１１を持つ切断処理手段１０と、回転カッタ１１を回転駆動する回転駆動手段２０とを備えている。この切断処理手段１０および回転駆動手段２０はフレーム３０によって支持されている。また、フレーム３０には被処理物を投入するためのホッパ７０が付設されている。さらに、この切断処理装置１００は、回転駆動手段２０のモータＭの通電状態を制御するための制御信号を切断処理装置１００の本体に送信する無線コントローラ４０を備えている。また、切断処理装置１００には回転カッタ１１の回転異常を報知する報知手段５０が設けられている。
【００１２】
そして、この切断処理装置１００によれば、図２に示すように、無線コントローラ４０が操作されることによって、無線コントローラ４０から切断処理装置本体へ制御信号が送信され、受信回路９０にて受信信号の検波、復調、解読がなされ、通電制御手段８０によりモータＭの通電状態が制御されるようになっている。なお、受信回路９０の前段にモータＭからのノイズを除去するためのノイズ除去手段を設けることが好ましい。
【００１３】
２．切断処理装置の細部の構成
（１）切断処理手段１０の構成
図３（正面図）および図４（平面図）に示すように、切断処理手段１０の回転カッタ１１は、回転軸１２に、周囲にブレード１３を持つディスク１４と、カラー１５とを交互に配したものである。カラー１５は円筒形を呈しており、隣り合うディスク１４のスペーサとしても機能する。切断処理手段１０は、このような回転カッタ１１を少なくとも一組備えている。そして、組をなす回転カッタ１１は、互いの回転軸１２が平行となるように配され、一の回転カッタ１１における隣り合うディスク１４の間に他方の回転カッタ１１のディスク１４が嵌り合うようにされている。
【００１４】
（２）回転駆動手段２０の構成
回転駆動手段２０は、モータＭと、モータ駆動回路（図示せず）と、動力伝達機構によって構成されている。この回転駆動手段２０はモータ動力を動力伝達機構を通じて回転カッタ１１に伝達し、回転カッタ１１を回転駆動させる。この回転駆動手段２０は、回転カッタ１１の回転を停止させたり（非通電状態の時）、回転カッタ１１の回転方向を変更したりする機能を有する。
【００１５】
（３）通電制御手段８０の構成
通電制御手段８０は、無線コントローラ４０からの制御信号によって回転駆動手段２のモータＭの通電状態を変更する。例えば、ブレーカを遮断等することによりモータＭへの通電を停止させる。
【００１６】
（４）フレーム３０の構成
フレーム３０は切断処理手段１０および回転駆動手段２０を支持する。また、フレーム３０には図示しない電源スイッチが付設され、この電源スイッチを投入することで、回転駆動手段２０が働き、回転カッタ１１を回転させることができるようになっている。
また、フレーム３０には、被処理物を投入するためのホッパ７０が取り付けられている。
そして、この切断処理装置１００では、フレーム３０および／またはホッパ７０が無線コントローラ４０からの制御信号を受信するアンテナとしての機能を果たすように構成されている。アンテナを立てて受信してもよいが、この場合には作業の邪魔にならない場所にアンテナを立てることが好ましい。
【００１７】
（５）無線コントローラ４０の構成
無線コントローラ４０には始動ボタン、停止ボタン、一時逆転ボタンが設けられている。この無線コントローラ４０は、ボタン操作により命令入力がされると、その命令信号を符号化、変調、増幅して発信する。そして、ボタン入力に応じて、モータＭへの通電状態を変更させ、回転カッタ１１の回転状態を制御する。なお、非常の場合にモータＭを遮断する停止ボタンのみを設けてもよい。
【００１８】
（６）異常検出手段５０の構成
異常検出手段５０は例えば回転駆動手段２０のモータＭに供給される電流の値を検出し、その電流値の変化具合から回転カッタ１１の回転異常を検出する。被処理物が切断不可能な程に固いものである場合には、回転駆動手段２０のモータＭに供給される電流の値が急激に上がるので、電流値が急激に上がった場合に、回転カッタ１１の第１の回転異常とする。一方、被切断処理物が切断可能なものであるが詰まった場合には、回転駆動手段２０のモータＭに供給される電流の値が緩慢に上がるので、電流値が緩慢に上がった場合には、回転カッタ１１の第２の回転異常とする。
なお、異常検出手段５０は例えば回転駆動手段２０のモータＭの回転数を検出し、その回転数の変化具合から回転カッタ１１の回転異常を検出するものであってもよい。
【００１９】
（６）報知手段６０の構成
報知手段６０としては、音を報知するもの、ランプを点滅させるもの等が使用される。この場合、異常検出手段５０の回転異常の態様に応じて報知の仕方を変えることが好ましい。例えば、第１の回転異常の場合と第２の回転異常の態様とで報知の際の音を変更等をさせることが好ましい。
【００２０】
３．切断処理処理
この切断処理装置１００によれば、投入された被処理物が回転カッタ１１によって切断処理される。その間、回転カッタ１１の回転状態が異常検出手段５０によって監視され、回転カッタ１１が回転異常であるとき、異常検出手段５０がその回転異常を検出する。異常検出手段５０が回転異常を検出すると、報知手段６０が報知を行う。管理者はこの報知６０にしたがって適切な措置をとる。例えば、第１の回転異常の場合には、無線コントローラ４０の停止ボタンを操作して回転駆動手段２０のモータＭを停止させる。また、第２の回転異常の場合には、無線コントローラ４０の逆転ボタンを操作して回転駆動手段２０のモータＭを一時逆転させる。
【００２１】
４．変形例
以上、本発明の実施形態について説明したが、本発明は、かかる実施形態に限定されるものではなく、その要旨を逸脱しない範囲で種々の変形が可能であることはいうまでもない。
【００２２】
前記実施形態では、フレーム３０および／またはホッパ７０が無線コントローラ４０からの制御信号を受信するアンテナとしての機能を果たすように構成したが、アンテナを立ててもよい。この場合には、アンテナは被処理物のホッパ７０への投入する際の邪魔にならない位置に立てることが必要となる。
【００２３】
【発明の効果】
本発明に係る切断処理装置の代表的なものの効果を説明すれば、被処理物を切断処理する回転カッタを有する切断処理部と、前記回転カッタを回転駆動するモータとを備える切断処理装置において、前記モータの通電状態を制御するための制御信号を送信する無線コントローラと、この無線コントローラからの制御信号によって前記モータの通電状態を制御する通電制御手段とを備えるので、切断処理の管理が容易となるとともに、切断処理作業が円滑に行えることになる。
【図面の簡単な説明】
【図１】実施形態に係る切断処理装置の使用状態を示す図である。
【図２】実施形態に係る切断処理装置の機能ブロック図である。
【図３】実施形態に係る切断処理装置の回転カッタの構成を示す図である。
【図４】実施形態に係る切断処理装置の切断処理手段の構成を示す平面図である。
【符号の説明】
１００　　　切断処理装置
１０　　　　切断処理手段
１１　　　　回転カッタ
２０　　　　回転駆動手段
４０　　　　無線コントローラ
８０　　　　通電制御手段
【図１】
2004057903.tif 000003
【図２】
2004057903.tif 000004
【図３】
2004057903.tif 000005
【図４】
2004057903.tif 000006